(57)【要約】【課題】携帯装置等の通信機能を用いた認証に関し、電子機器のセキュリティと利便性を高める。【解決手段】認証対象の機器（ＰＣ）の認証に用いられる振動パターンが携帯装置（６）に登録され、電話着信で携帯装置が振動を発生する。認証対象の機器は、携帯装置が発生した振動パターンを検知し、その振動パターンと登録振動パターンとを比較し、一致するか否かを認証する。これにより、機器のユーザが携帯する携帯装置を用いることにより、機器側の電話通信機能と、着信により携帯装置が発する振動パターンと、機器側の振動パターンの認証機能とを以て個人認証が行われる。【選択図】図１
2009245122.tif 000002
【特許請求の範囲】
【請求項１】
電話番号入力に基づき、電話発信をする通信部と、
電話着信で携帯装置が発生する振動を受信する振動受信部と、
振動パターンが登録された振動パターン登録手段と、
前記振動受信部が受信した前記振動の振動パターンと、前記振動パターン登録手段にある前記振動パターンとが一致するか否かを認証する認証部と、
を備えたことを特徴とする認証装置。
【請求項２】
請求項１の認証装置において、
前記携帯装置は、電話着信に対応する振動パターンを登録する振動パターン登録手段を備え、該振動パターン登録手段に前記通信部からの電話着信を表す振動パターンを登録し、前記通信部からの電話着信を表す振動パターンの振動を発生することを特徴とする認証装置。
【請求項３】
電話番号入力に基づき、電話発信をする通信部と、
電話着信で携帯装置が発する振動を受信する振動受信部と、
振動パターンが登録された振動パターン登録手段と、
前記振動受信部が受信した前記振動の振動パターンと、前記振動パターン登録手段にある前記振動パターンとが一致するか否かを認証する認証部と、
を備えたことを特徴とする電子機器。
【請求項４】
電子機器で実行される認証方法であって、
電話番号入力に基づき、電話発信をするステップと、
電話着信で携帯装置が発生する振動を受信するステップと、
振動受信部が受信した前記振動の振動パターンと、振動パターン登録手段に登録されている振動パターンとが一致するか否かを認証するステップと、
を含むことを特徴とする、電子機器の認証方法。
【請求項５】
コンピュータで実行される電子機器の認証プログラムであって、
電話番号入力に基づき、電話発信をするステップと、
電話着信で携帯装置が発生する振動を受信するステップと、
振動受信部が受信した前記振動の振動パターンと、振動パターン登録手段に登録されている振動パターンとが一致するか否かを認証するステップと、
を前記コンピュータに実行させるための電子機器の認証プログラム。
【発明の詳細な説明】
【技術分野】
【０００１】
本発明は、パーソナルコンピュータ（ＰＣ）等の電子機器の利用者認証に関し、特に、電子機器に搭載されている電話通信機能を利用者認証に用いた認証装置、電子機器、その認証方法及び認証プログラムに関する。
【背景技術】
【０００２】
電子機器として例えば、ＰＣの不正利用の防止には、ＢＩＯＳ (Basic Input/Output System)プログラムを用いたパスワード入力等により、個人認証を行っている。また、個人認証には、携帯電話機等の個人所有に係る電子機器の電話通信機能を用いた認証システムが知られている。
【０００３】
このような個人認証に関し、特許文献１には、コンピュータシステムから携帯電話に予め認証用のバーコードイメージを送付しておき、携帯端末の表示部にそれを表示し、システム側のスキャナに読み込ませることで認証を実行することが開示されている。特許文献２には、システム側から携帯電話にパスワードを音声で送り、携帯電話でシステム側のマイクにその音声を聞かせて認証を行うことが開示されている。特許文献３には、携帯端末を所有するユーザの認証情報をサーバに登録し、その認証情報を携帯端末から光信号でシステム側の光リーダ装置に読み込ませ認証を実行することが開示されている。また、特許文献４には、対象の装置に認証用の画像を登録し、その画像を携帯端末の表示部に表示し、対象装置の受光部でそれを受けて画像を取り込み照合することで認証を行うことが開示されている。
【特許文献１】特開２００３−０６７３４４公報（要約、図１等）
【特許文献２】特開２００４−３４８２３８公報（要約、図１等）
【特許文献３】特開２００４−２１３３０６公報（要約、図１等）
【特許文献４】特開２００２−２３６６６４公報（要約、図１等）
【発明の開示】
【発明が解決しようとする課題】
【０００４】
ところで、ＰＣの個人認証に関し、ＰＣ単体で認証を行う場合には、ＰＣが盗難されると、不正利用を避けることができなかったし、ＰＣとは異なる装置を認証に用いれば、その装置をＰＣとともに持ち運ぶ必要があった。携帯電話機等の通信機器では一般的にユーザが通信手段として所持しているので、ＰＣ等の電子機器等とともに持ち運ぶことに問題はない。
【０００５】
そこで、本発明の目的は、携帯装置等の通信機能を用いた認証に関し、電子機器のセキュリティと利便性を高めることにある。
【課題を解決するための手段】
【０００６】
上記目的を達成するため、本発明は、認証装置、電子機器、その認証方法及び認証プログラムであって、認証対象の機器の認証に用いられる振動パターンが携帯装置に登録され、電話着信で携帯装置が振動を発生する。認証対象の機器は、携帯装置が発生した振動パターンを検知し、その振動パターンと登録振動パターンとを比較し、一致するか否かを認証する。これにより、機器のユーザが携帯する携帯装置を用いることにより、機器側の電話通信機能と、着信により携帯装置が発する振動パターンと、機器側の振動パターンの認証機能とを以て個人認証が行われ、電子機器のセキュリティ及び利便性が高められる。
【０００７】
上記目的を達成するため、この認証装置は、電話番号入力に基づき、電話発信をする通信部と、電話着信で携帯装置が発生する振動を受信する振動受信部と、振動パターンが登録された振動パターン登録手段と、前記振動受信部が受信した前記振動の振動パターンと、前記振動パターン登録手段にある前記振動パターンとが一致するか否かを認証する認証部とを備えたことである。斯かる構成によれば、電話着信により携帯装置から発せられた振動パターンと、登録振動パターンとが一致するか否かの認証判断を行うことができ、認証対象を認証対象が持つ電話通信機能と携帯装置とを用いて簡便に認証することができ、電子機器のセキュリティと利便性を高めることができる。
【０００８】
上記目的を達成するためには、上記認証装置において、好ましくは、前記携帯装置は、電話着信に対応する振動パターンを登録する振動パターン登録手段を備え、該振動パターン登録手段に前記通信部からの電話着信を表す振動パターンを登録し、前記通信部からの電話着信を表す振動パターンの振動を発生する構成としてもよい。斯かる構成によっても、上記目的が達成される。
【０００９】
上記目的を達成するため、この電子機器は、電話番号入力に基づき、電話発信をする通信部と、電話着信で携帯装置が発する振動を受信する振動受信部と、振動パターンが登録された振動パターン登録手段と、前記振動受信部が受信した前記振動の振動パターンと、前記振動パターン登録手段にある前記振動パターンとが一致するか否かを認証する認証部とを備えたことである。斯かる構成により、上記目的が達成される。
【００１０】
上記目的を達成するため、この電子機器の認証方法は、電子機器で実行される認証方法であって、電話番号入力に基づき、電話発信をするステップと、電話着信で携帯装置が発生する振動を受信するステップと、振動受信部が受信した前記振動の振動パターンと、振動パターン登録手段に登録されている振動パターンとが一致するか否かを認証するステップとを含むことである。斯かる構成により、上記目的が達成される。
【００１１】
上記目的を達成するため、この電子機器の認証プログラムは、コンピュータで実行される電子機器の認証プログラムであって、電話番号入力に基づき、電話発信をするステップと、電話着信で携帯装置が発生する振動を受信するステップと、振動受信部が受信した前記振動の振動パターンと、振動パターン登録手段に登録されている振動パターンとが一致するか否かを認証するステップとを前記コンピュータに実行させるための電子機器の認証プログラムである。斯かる構成により、上記目的が達成される。
【発明の効果】
【００１２】
本発明によれば、次のような効果が得られる。
【００１３】
(1) パスワードを設けることやパスワード入力操作を必要とすることなく、携帯装置の電話発信のみで個人認証を行うことができ、認証の簡便化とともに、電子機器のセキュリティと利便性とを高めることができる。
【００１４】
(2) 認証専用のデバイスの携帯が不要であり、認証対象であるＰＣ等の電子機器に不正利用を防止するための機能を付加することなく、不正利用の防止を図ることができる。
【００１５】
そして、本発明の他の目的、特徴及び利点は、添付図面及び各実施の形態を参照することにより、一層明確になるであろう。
【発明を実施するための最良の形態】
【００１６】
〔第１の実施の形態〕
【００１７】
第１の実施の形態について、図１、図２及び図３を参照する。図１は、認証システムを示す図、図２は、認証システムによる認証動作を示す図、図３は、認証機能を示す図である。図１ないし図３は一例であって、斯かる構成に本発明が限定されるものではない。
【００１８】
この認証システム２は、本発明の認証装置、認証方法又は認証プログラムの一例であって、図１に示すように、パーソナルコンピュータ（ＰＣ）４及び携帯装置６を用いて利用者認証を行うシステムである。ＰＣ４は、利用者認証の対象である電子機器であるとともに認証装置を搭載し、携帯装置６と同様の電話通信機能を備えている。この電話通信機能は例えば、ＷＷＡＮ（Wireless Wide Area Network）に接続する機能であり、携帯電話通信機能によってＷＷＡＮに接続するネットワーク機能である。
【００１９】
ＰＣ４から携帯装置６の電話番号宛に電話発信をすれば、基地局８を通して携帯装置６に電話接続され、電話着信で携帯装置６はその着信を表す振動パターン即ち、バイブレーションパターンで振動する。この場合、図２に示すように、携帯装置６をＰＣ４の筐体５の振動受信部７に設置すれば、この携帯装置６が発生する振動が振動受信部７を通してＰＣ４に検知される。
【００２０】
ＰＣ４は、図３に示すように、ＷＷＡＮ機能部１０、加速度センサ１２、ＲＯＭ（Read-Only Memory）１４、ＢＩＯＳ（Basic Input/Output System ）１６を備えている。ＷＷＡＮ機能部１０は、通信手段の一例であって、携帯装置６との電話通信に用いられる。
【００２１】
加速度センサ１２は、振動受信手段の一例であって、携帯装置６が発生するバイブレータ振動を受信する。加速度センサ１２には、一般ＰＣの例えば、ＨＤＤ（Hard Disk Drive)のデータ破損を防止するための衝撃検知手段として設置されたものを兼用してもよい。この加速度センサ１２はｘ，ｙ，ｚ軸の加速度（Ｇ）を検知することができ、その場合、加速度センサ１２にはＰＣ４にどの方向にどの程度の加速度がかかったかを検知することができ、この機能を携帯装置６が発生する振動パターンの検知手段として利用することができる。
【００２２】
ＲＯＭ１４は、記憶手段の一例であって、このＲＯＭ１４には、ＢＩＯＳ１６等のプログラムや各種のデータが格納され、認証情報である登録パターンとして特定のバイブレーションパターンが登録されている。このバイブレーションパターンは、ＰＣ４をユーザとする電話着信に基づき、携帯装置６から発するバイブレーションパターンであって、その電話帳に登録されたバイブレーションパターンである。
【００２３】
ＢＩＯＳ１６は、入出力手段をＯＳ（Operating System）やアプリケーションプログラムに対して提供する等、周辺機器を制御するプログラム群であって、この実施の形態では照合手段であるとともにロック機能部を構成し、登録パターンと取得パターンとの照合を行い、その照合結果に応じてＰＣ４の起動を許可し、又は不許可とする。そこで、ＰＣ４から携帯装置６に電話発信し、その電話着信で携帯装置６が発生するバイブレーションパターンと、ＰＣ４に登録されているバイブレーションパターンとが一致すれば、携帯装置６とＰＣ４とが共通のユーザであると認証することができ、その場合には、ＰＣ４を起動させることができる。
【００２４】
このような認証システム２では、携帯装置６がＰＣ４のユーザに常に携帯され、所持されるものであることから、この携帯装置６を用いることにより、セキュリティの確保とともに、格別な装置等を用意することなく個人認証を容易化できる等、利便性を高めることができる。
【００２５】
ところで、加速度センサ１２による携帯装置６の振動を検知する場合、この実施の形態では、横軸に時間経過とその時にかかった加速度をｘ，ｙ，ｚ軸で観測し、例えば、所定時間として例えば、６秒間のバイブレーションパターンを記憶させて認証する場合を仮定すると、次のようなパターンデータを登録すればよい。
登録パターン＝１，０，０，１，１，０
この登録パターンにおいて、携帯装置６が振動している状態を「１」、携帯装置６が振動していない状態を「０」としている。この場合、携帯装置６の振動状態は、ｘ，ｙ，ｚ軸の何れかに規定以上の加速度が検知した場合であればよい。そこで、携帯装置６の置き方や、振動により携帯装置６が向きが変わったりすることも考慮すれば、加速度センサ１２のｘ，ｙ，ｚ軸の各出力の個別の値は用いず、また、振動する向き（＋方向、−方向）を表す出力はパターン判別に用いなくてもよいが、認証精度を高めるために参照してもよい。
【００２６】
以上説明した実施の形態から明らかなように、斯かる認証システム２によれば、ＰＣ４の起動時、携帯装置６を利用し、ＰＣ４からの電話発信、携帯装置６の電話着信により、ＰＣ４の自動認証を行うことができる。
【００２７】
また、従来の認証では、ＰＣ単体で認証を行うことが多く、盗難された場合に不正利用をされる可能性があったが、一般的にユーザが常に持ち歩いている携帯装置を用い、既存の多くの携帯装置が有している機能を認証に用いることによって、セキュリティと利便性の確保を少ない機能追加で実現することができる。
【００２８】
〔第２の実施の形態〕
【００２９】
第２の実施の形態について、図４及び図５を参照する。図４は、ＰＣの構成を示す図、図５は、携帯装置の構成を示す図である。図４及び図５は一例であって、斯かる構成に本発明が限定されるものではない。図４及び図５において、図１、図２及び図３と同一部分には同一符号を付してある。
【００３０】
ＰＣ４は、利用者認証の対象である電子機器の一例であって、携帯装置６との電話通信が行える電話通信機能や、個人認証後に起動することが可能なセキュリティ機能を備えており、セキュリティ機能は、個人認証に基づいて起動や必要な動作を行える機能である。このＰＣ４は、図４に示すように、ＣＰＵ（Central Processing Unit ）２０、ノースブリッジ２２、サウスブリッジ２４、メモリ２６、Ｉ／Ｏデバイス２８、ＨＤＤ（Hard Disk Drive)３０、加速度センサ１２、各種デバイス３４、ＷＷＡＮ機能部１０を備えている。
【００３１】
ＣＰＵ２０は認証制御、振動パターンの登録制御等の各種制御や演算を行う手段であって、ＨＤＤ３０に格納されているＯＳ（Operating System）、アプリケーションプログラム、認証プログラムルーティンや、メモリ２６にあるＢＩＯＳ１６（図３）等を実行するとともに、バイブレーションパターンの比較による認証手段を構成する。ＢＩＯＳ１６には、バイブレーションパターンを認証情報に用いる認証プログラム等が含まれている。
【００３２】
ノースブリッジ２２は、ＰＣＩ（Peripheral Component Interconnect)バスを構成するチップセットであって、ＣＰＵ２０、メモリ２６及びサウスブリッジ２４とのデータの受渡し手段である。また、サウスブリッジ２４は、ＰＣＩバスを構成するチップセットであって、入出力側のデータ処理をする手段である。
【００３３】
メモリ２６は、ＲＡＭ（Random-Access Memory）及びＲＯＭ１４（図３）を含む記録手段であって、ＲＯＭ１４には既述のＢＩＯＳ１６等が格納されている。ＲＡＭは、ワークエリアを構成する。
【００３４】
Ｉ／Ｏデバイス２８は入出力手段であって、例えば、キーボード３８や表示部４０等で構成されている。ＨＤＤ３０は、外部記憶手段であって、ＯＳや、アプリケーションプログラム等を記憶している。
【００３５】
加速度センサ１２は、ＰＣ４に加わる加速度を受信し、その加速度を検出する手段であって、この実施の形態では、ＰＣ４に加わるバイブレーションを受信及び検出する振動受信手段であるとともに、振動検知手段を構成している。
【００３６】
ＷＷＡＮ機能部１０は、無線による電話の発着信を行う通信手段の一例であって、アンテナ４２を備え、ＷＷＡＮ通信の発着信を行う。
【００３７】
次に、携帯装置６はコンピュータを備えるとともに、ＰＣ４と電話通信を行う手段であって、図５に示すように、ＣＰＵ４４、表示部４６、入出力部４８、音声入出力部５０、無線通信部５２、記憶部５４、ＲＡＭ５６、バイブレータ５８を備えている。
【００３８】
ＣＰＵ４４は、制御手段の一例であって、記憶部５４にあるＯＳやアプリケーションプログラムの実行、電話の発着信制御や、認証に必要なバイブレーションパターンの出力制御を行う。
【００３９】
表示部４６は、情報提示手段の一例であって、例えば、ＬＣＤ（Liquid Crystal Display）表示器等で構成される。また、入力部４８は、情報入力手段の一例であって、キーボードで構成され、文字等の入力キー、ダイアルキー、カーソルキー、決定キー等を含んでいる。音声入出力部５０は、音声の入出力手段であって、音声を入力するマイクロフォン６０、音声を出力するレシーバ６２を備える。
【００４０】
無線通信部５２は、無線による電話の発着信を行う通信手段の一例であって、アンテナ６３を備え、ＷＷＡＮ通信の発着信を行う。
【００４１】
記憶部５４は、プログラムやデータを記録する記録手段の一例であって、プログラム記憶部６４、データ記憶部６６を備える。この記憶部５４は、記録手段としての記憶素子で構成することができる。プログラム記憶部６４は、ＯＳや、アプリケーションプログラム等を記憶する記憶手段の一例であり、また、データ記憶部６６には、電話帳等のデータベースが構築されている。このデータ記憶部６６には、ＰＣ４からの電話着信に対応するバイブレーションパターンが登録パターンとして登録されている。ＲＡＭ５６は、ワークエリアを構成する。
【００４２】
バイブレータ５８は、電話着信を表す振動を発生する振動発生手段の一例であって、ＰＣ４のＷＷＡＮ機能部１０からの電話着信を表すバイブレーションパターンを表す振動を発生する。
【００４３】
次に、携帯装置６の初期設定について、図６を参照する。図６は、携帯装置の初期設定の処理手順を示すフローチャートである。図６に示す構成は一例であって、斯かる構成に本発明が限定されるものではない。
【００４４】
この処理手順は、認証方法又は認証プログラムの一例であって、ＰＣ４の認証に用いる携帯装置６に対するＰＣ４の電話番号の登録、バイブレーションパターンの登録等の処理が含まれる。
【００４５】
そこで、この処理手順では、図６に示すように、携帯装置６の初期設定処理として、ＰＣ４の電話番号を登録する（ステップＳ１）。即ち、データ記憶部６６にある電話帳データのデータベースに通信先であるＰＣ４の電話番号を登録する。また、登録したＰＣ４の電話番号に特定のバイブレーションを登録し（ステップＳ２）、携帯装置６の初期設定を完了する。つまり、このバイブレーションパターンはＰＣ４の認証情報であって、ＰＣ４側からの着信を受けると、携帯装置６は、その発信元であるＰＣ４の電話番号をアドレス情報として、ＰＣ４に対応するバイブレーションパターンの振動を発生する。
【００４６】
この初期設定において、認証機器であるＰＣ４の電話番号に特定のバイブレーションパターンを登録することにより、他の電話番号から操作される、いわゆるなりすましを防止することができる。
【００４７】
次に、ＰＣ４の初期設定について、図７、図８及び図９を参照する。図７は、ＰＣの初期設定の処理手順を示すフローチャート、図８は、認証データ登録画面を示す図、図９は、認証データ登録の処理手順を示すフローチャートである。図７、図８及び図９に示す構成は一例であって、斯かる構成に本発明が限定されるものではない。
【００４８】
この処理手順は、認証方法又は認証プログラムの一例であって、ＰＣ４の認証に用いる携帯装置６の携帯電話番号の登録、再送回数の登録、バイブレーションパターンの照合及び登録等の処理が含まれる。
【００４９】
そこで、この処理手順では、図７に示すように、ＰＣ４の初期設定処理として、ＰＣ４の認証に用いる携帯装置６の携帯電話番号を登録し（ステップＳ１１）、再送回数（ｎ）を登録する（ステップＳ１２）。ここで、再送回数（ｎ）とは認証が完了しない場合の再送信の回数である。この再送回数はメモリ２６に登録される。
【００５０】
ＰＣ４と携帯装置６とでバイブレーションパターンを照合し、そのバイブレーションパターンをＰＣ４に登録し（ステップＳ１３）、ＰＣ４の初期設定を完了する。このバイブレーションパターンはＰＣ４の認証情報であって、ＰＣ４からの電話着信で携帯装置６が発生するバイブレーションパターンである。この場合、ＰＣ４におけるバイブレーションパターンの登録は、ＢＩＯＳ１６（図３）でアクセスできるメモリ２６にあるＲＯＭ１４に登録される。
【００５１】
このＰＣ４の登録の処理手順には、表示部４０（図４）にウインドウとして認証データ登録画面６８を立ち上げる。この認証データ登録画面６８は、図８に示すように、タイトルバー７０に「認証データ登録」と表示され、その内容表示部７２には、登録内容のメッセージ表示として「認証に使用する携帯電話の登録を行います。」と表示され、その下側に「電話番号：」と表示されるとともに、電話番号入力欄７４が表示されている。電話番号入力欄７４には、キーボード３８により認証に用いられる通信先である携帯装置６の携帯電話番号を入力すればよい。
【００５２】
この電話番号入力欄７４の下側には、「再送回数：（０〜５）」と表示されるとともに、再送回数入力欄７６が表示されている。この再送回数入力欄７６には、既述の再送回数（ｎ）をキーボード３８の数字キーにより入力すればよい。この再送回数（ｎ）は、０であってもよく、回数入力が電話送信を拒否するものではない。
【００５３】
この再送回数入力欄７６の下側には、セキュリティレベル登録を表す「セキュリティ：」とともに、レベル設定バー７８が表示されている。レベル設定バー７８の上側にあるカーソルマーク８０をカーソルキーによって左右に移動させ、セキュリティレベルを「低」側又は「高」側に移動させることにより、所望のセキュリティレベルに設定することができる。
【００５４】
このレベル設定バー７８の下側には、「バイブレーション登録」と表示されるとともに、バイブレーション登録を開始するための開始ボタン８２が表示されるとともに、設定内容の認識の可否を表すメッセージ表示部８４が設定され、その下段には認証データ登録を行うための登録ボタン８６、登録処理のキャンセルを指示するキャンセルボタン８８が表示されている。バイブレーション登録を開始させるには、開始ボタン８２にカーソル表示を重ねた後、キーボード３８のエンターキーを操作すればよく、認証データの登録を実行するには、登録ボタン８６にカーソル表示を重ねた後、キーボード３８のエンターキーを操作すればよい。また、登録をキャンセルするには、キャンセルボタン８８にカーソル表示を重ねた後、キーボード３８のエンターキーを操作すればよい。
【００５５】
この認証データ登録の処理手順では、既述の通り、ＰＣ４の初期設定として、携帯電話の電話番号及び、再送回数、バイブレーションパターンを登録する。ＰＣ４の初期設定プログラムを起動させると、図８に示すように、ウィンドウとして認証データ登録画面６８が表示される。この処理手順では、図９に示すように、電話番号の入力（ステップＳ２１）、再送回数の入力（ステップＳ２２）を受け付け、セキュリティ設定の入力（ステップＳ２３）を受け付ける。このセキュリティの「高」、「低」の設定（図８）は、後述のバイブレーションパターンによって設定される。この設定の後、開始ボタン８２の押下（ステップＳ２４）を受け付け、認証に使用する電話番号の登録が完了する。
【００５６】
電話番号入力に基づき、ＰＣ４から登録する電話番号に電話発信をし（ステップＳ２５）、携帯装置６が発生する振動のバイブレーションパターンを検知し（ステップＳ２６）、ＰＣ４でバイブレーションパターンが認識されたか否かを判定する（ステップＳ２７）。ＰＣ４がバイブレーションパターンを認識すれば（ステップＳ２７のＹＥＳ）、認証データ登録画面６８のメッセージ表示部８４に「正しく認識されました」と表示するとともに、登録ボタン８６の受付け可能状態に移行する（ステップＳ２８）。
【００５７】
登録ボタン８６の受付け可能状態では、登録ボタン８６の押下の受付けを判断し（ステップＳ２９）、登録ボタン８６が押下されれば（ステップＳ２９のＹＥＳ）、ＢＩＯＳ１６からアクセスできるＲＯＭ１４等のメモリ２６に設定情報を登録し（ステップＳ３０）、この認証データ登録の処理を終了する。
【００５８】
バイブレーションパターンが認識されなければ（ステップＳ２７のＮＯ）、再送信モードに移行し、設定されている再送回数（ｎ）に到達したか否かを判断し（ステップＳ３１）、設定された再送回数（ｎ）に到達していれば（ステップＳ３１のＹＥＳ）、この認証データ登録を終了し、また、設定された再送回数（ｎ）に到達していなければ（ステップＳ３１のＮＯ）、再送信を行い（ステップＳ３２）、ステップＳ２５に戻る。再送信は、ステップ２１で入力された電話番号を用いて行う。
【００５９】
また、登録ボタン８６の押下がなければ（ステップＳ２９のＮＯ）、キャンセルボタン８８の押下があるか否かを判断し（ステップＳ３３）、キャンセルボタン８８の押下がなければ（ステップＳ３３のＮＯ）、ステップＳ２９に戻って待機状態となり、また、キャンセルボタン８８の押下があれば（ステップＳ３３のＹＥＳ）、設定情報の登録処理を中止し、この認証データ登録の処理を終了する。
【００６０】
なお、キャンセルボタン８８の押下は、どのような処理段階であっても、登録作業を中止してプログラムが終了する。
【００６１】
次に、バイブレーションパターンの設定について、図１０及び図１１を参照する。図１０は、バイブレーションパターンを示す図、図１１は、バイブレーションパターンの組合せを示す図である。図１０及び図１１に示す構成は一例であって、斯かる構成に本発明が限定されるものではない。
【００６２】
登録するバイブレーションパターンの設定には、携帯装置６に振動を発生させ、ＰＣ４で一定時間のバイブレーションを検知し、それを登録パターンとして登録する。ＰＣ４ではある一定時間ｔ毎にバイブレーションがあったか否かを確認し、バイブレーションがあった場合を「１」、なかった場合を「０」としてパターンを作製する。この場合、バイブレーションの検知開始は、必ずバイブレーションがあった状態から開始する。
【００６３】
セキュリティを高めるには、多くのバイブレーションの組合せパターンを作製することが望ましい。実際の製品に適用する場合、その検知時間が長くなると、利便性が損なわれ、また、既述の時間ｔを短く設定すれば、誤認識の危険性が高まるので、利便性と誤認識の危険性とのバランスが必要となる。
【００６４】
既述のセキュリティ設定では、これらのバランスの変更が可能であり、「低」に近い設定とすれば、認証時間が短く、時間ｔが長くなり、「高」に近く設定すれば、その逆に設定されるが、認証時間が長くなり、誤認識の可能性が高くなる等の影響がある。
【００６５】
バイブレーションパターンの設定について、図１０の（Ａ）に示すように、パターンとして「１，０，１，０，０，０，１，０，０，０，１」とすると、各「１」又は「０」の時間幅は既述の時間ｔである。この場合、図１０の（Ｂ）に示すように、「１」でバイブレーションを生じ、「０」が無振動である。最初の「１」の区間は、検知を開始するためのバイブレーションであり、この部分は登録するパターンには含まれない。そこで、上記の例は、下記の１０個のパターンとして認識され、この場合の登録パターンは、
登録パターン＝０，１，０，０，０，１，０，０，０，１
である。
【００６６】
このバイブレーションパターンで携帯装置６が振動している場合、ＰＣ４の加速度センサ１２がｘ，ｙ，ｚ軸の何れかに閾値以上の加速度を検知する。
【００６７】
このような１０個のパターン、即ち１０桁のパターンでは、２10＝１０２４通りの組み合わせがあり、図１１に示すように、「０，０，０，０，０，０，０，０，０，１」、「０，０，０，０，０，０，０，０，１，０」・・・「１，１，１，１，１，１，１，１，１，１」のパターンが形成される。
【００６８】
そこで、このようなバイブレーションパターンで生じる加速度の絶対値を平均し、それを振動レベルとして加味すれば、パターン数と振動レベルとの組み合わせにより、より多くのパターン数となり、よりセキュリティを高めることができる。例えば、１０個のパターンに例えば、図１０の（Ｃ）に示すように、４段階のレベルＬ0 、Ｌ1 、Ｌ2 、Ｌ3 を設定した場合、１つのパターンは振動レベルとしてＬ0 （＝０）、Ｌ1 （＝１）、Ｌ2 （＝２）、Ｌ3 （＝３）の４通りの組み合わせを持つことになるので、４×２10＝２12＝４０９６通りの組み合わせが生成され、より高いセキュリティが得られる。
【００６９】
次に、ＰＣ４の利用時の認証処理について、図１２を参照する。図１２は、認証処理の処理手順を示すフローチャートである。図１２に示す構成は一例であって、斯かる構成に本発明が限定されるものではない。
【００７０】
この処理手順では、認証方法又は認証プログラムの一例であって、認証処理、認証成立によるＰＣ４の起動、認証不成立に基づくＰＣ４のシャットダウン及びロックの処理が含まれる。
【００７１】
そこで、この認証処理では、図１２に示すように、ＰＣ４に携帯装置６を設置し（ステップＳ４１）、ＰＣ４のスイッチをオンし（ステップＳ４２）、ＰＣ４に給電する。この場合、携帯装置６はＰＣ４の振動受信部７に載置し、ＰＣ４を起動させる。
【００７２】
ＢＩＯＳ１６が起動し（ステップＳ４３）、再送回数ｎ＝０に設定され（ステップＳ４４）、ＢＩＯＳ１６がＷＷＡＮ機能により携帯装置６に対し、電話発信をする（ステップＳ４５）。この電話発信により、携帯装置６がその電話着信により、設定されているバイブレーションパターンで振動する。そこで、ＰＣ４では一定時間内にバイブレーションパターンの振動があったか否かの判定をし（ステップＳ４６）、一定時間内にバイブレーションパターンの振動が生起すれば（ステップＳ４６のＹＥＳ）、そのバイブレーションパターンを検知し、そのバイブレーションパターンが正しいか否かを照合し、判定する（ステップＳ４７）。正しいバイブレーションパターンであれば（ステップＳ４７のＹＥＳ）、即ち、バイブレーションパターンが登録パターンと一致すれば、認証が成立し、ＰＣ４がロック状態からロック解除状態に切り替えられ、ＰＣ４が起動する（ステップＳ４８）。
【００７３】
一定時間内にバイブレーションパターンが無ければ（ステップＳ４６のＮＯ）、また、正しいバイブレーションパターンで無ければ（ステップＳ４７のＮＯ）、再送回数ｎを更新（インクリメント即ち、ｎ＝ｎ＋１）し（ステップＳ４９）、設定回数ｎに再送回数が到達したか否かを判定する（ステップＳ５０）。設定回数ｎに再送回数が到達していなければ（ステップＳ５０のＮＯ）、ステップＳ４５に戻り、再送信を行う。設定回数ｎに再送回数が到達した場合には（ステップＳ５０のＹＥＳ）、ＰＣ４のシャットダウンをし、ＰＣ４をロック状態に維持し（ステップＳ５１）、この処理を終了する。
【００７４】
以上説明したように、この実施の形態においても、ＰＣ４の起動時、携帯装置６を利用し、ＰＣ４からの電話発信、携帯装置６の電話着信により、ＰＣ４の自動認証を行うことができ、ＰＣ単体で認証を行うことに比較し、盗難等による不正利用を防止でき、しかも、一般的にユーザが常に持ち歩いている携帯装置を用い、既存の多くの携帯装置が有している機能を認証に用いることによって、セキュリティと利便性の確保を少ない機能追加で実現できる。
【００７５】
また、図６及び図７に示すように、初期設定シーケンスにおいて、ＰＣには認証に利用する携帯装置と再送回数を設定でき、必要ならば、認証に用いるパターンをＰＣと携帯装置で照合設定することができる。
【００７６】
また、正規のユーザが利用していると確認された場合には、初期設定の設定項目でユーザが変更、再設定することも可能である。
【００７７】
ＰＣは、事前にＰＣに登録した携帯装置にダイヤルし、携帯装置はアドレス帳に登録されたパターン動作を行い、ＰＣは正しいパターンを検知したら起動する。
【００７８】
携帯装置のバイブレーションパターンを使用し、ＰＣはその振動パターンを検知でき、バイブレーションパターンは、モバイルＰＣのＨＤＤプロテクションとして搭載している３Ｄ加速度センサを利用してもよく、新たな加速度センサを搭載してもよく、何れでもＰＣの上に載せた携帯装置が振動しているか否かの判断ができる。その場合、携帯装置が振動している状態を「１」、携帯装置が振動していない状態を「０」として、規定時間の間、規定したタイミングで「１」と「０」の状態を確認してバイブレータのパターンを検知することができ、例えば、６秒間状態を監視し、１秒毎にその状態を確認すれば、上記実施の形態で説明したパターンだけでなく、２6 ＝６４通りのパターンを設定することもできる。
【００７９】
このような携帯装置の振動パターンを認証に用いる認証システムでは、携帯装置をリモートにより停止又は契約を解除することで、携帯装置を通信不可状態にし、間接的にＰＣを起動できない状態にすることもでき、多様なセキュリティ機能が得られる。
【００８０】
例えば、ＰＣだけを盗難された場合には上記認証システムにより不正利用を防止できるが、ＰＣと携帯装置が一緒に盗難された場合には、遠隔操作による携帯装置のロック機能や携帯装置の解約等により、盗難された携帯装置を通信できない状態にすることにより、盗難されたＰＣの不正利用を防止できる。
【００８１】
このような認証システム２では、ＰＣ起動時の認証でパスワード入力のような手段を用いず、かつ自動的に認証することができ、利用者認証に携帯装置を用いることにより、新たに認証用のデバイスを携帯することなく、ＰＣ自体にリモートで不正利用を防止するような新たな機能を設けずに、不正利用を簡便に防止することができる。
【００８２】
〔他の実施の形態〕
【００８３】
(1) 上記実施の形態では、認証対象としてＰＣ４を例示しているが、電話通信機能を有する電子機器であればどのような機器でもよく、本発明はＰＣ４に限定されるものではない。
【００８４】
(2) 上記実施の形態では、携帯装置６を用いているが、電話通信機能を有する電子機器であればどのような機器でもよく、本発明は携帯装置６に限定されるものではない。
【００８５】
(3) 上記実施の形態では、携帯装置６に予め登録した振動パターンを生起させて認証を行っているが、認証対象である電子機器として例えば、ＰＣ４に認証情報を送出する認証情報送出手段を備え、この認証情報送出手段から送出された認証情報としての振動パターンを携帯装置６で受け、これを携帯装置６に登録する構成としてもよい。この場合、ＰＣ４からの電話着信で携帯装置６からその振動パターンの振動を発生させ、この振動パターンを以て認証する構成としてもよい。
【００８６】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００８７】
（付記１）  電話番号入力に基づき、電話発信をする通信部と、
電話着信で携帯装置が発生する振動を受信する振動受信部と、
振動パターンが登録された振動パターン登録手段と、
前記振動受信部が受信した前記振動の振動パターンと、前記振動パターン登録手段にある前記振動パターンとが一致するか否かを認証する認証部と、
を備えたことを特徴とする認証装置。
【００８８】
（付記２）  付記１の認証装置において、
前記携帯装置は、電話着信に対応する振動パターンを登録する振動パターン登録手段を備え、該振動パターン登録手段に前記通信部からの電話着信を表す振動パターンを登録し、前記通信部からの電話着信を表す振動パターンの振動を発生することを特徴とする認証装置。
【００８９】
（付記３）  付記１の認証装置において、
前記携帯装置は、任意の振動パターンを発生する振動パターン発生手段を備え、前記通信部からの着信情報に応じて特定の振動パターンの振動を発することを特徴とする認証装置。
【００９０】
（付記４）  付記１の認証装置において、
認証情報を送出する認証情報送出手段を備え、前記携帯装置は、前記認証情報送出手段が送出した前記認証情報を表す振動パターンの振動を生じることを特徴とする認証装置。
【００９１】
（付記５）  電話番号入力に基づき、電話発信をする通信部と、
電話着信で携帯装置が発生する振動を受信する振動受信部と、
振動パターンが登録された振動パターン登録手段と、
前記振動受信部が受信した前記振動の振動パターンと、前記振動パターン登録手段にある前記振動パターンとが一致するか否かを認証する認証部と、
を備えたことを特徴とする電子機器。
【００９２】
（付記６）  付記５の電子機器において、
前記認証部が発する認証結果に応じて起動することを特徴とする電子機器。
【００９３】
（付記７）  付記５の電子機器において、
前記携帯装置は、電話着信に対応する振動パターンを登録する振動パターン登録手段を備え、該振動パターン登録手段に前記通信部からの電話着信を表す振動パターンを登録し、前記通信部からの電話着信を表す振動パターンの振動を発生することを特徴とする電子機器。
【００９４】
（付記８）  付記５の電子機器において、
前記携帯装置は、任意の振動パターンを発生する振動パターン発生手段を備え、前記通信部からの着信情報に応じて特定の振動パターンの振動を発生することを特徴とする電子機器。
【００９５】
（付記９）  付記５の電子機器において、
前記電子機器は認証情報を送出する認証情報送出手段を備え、前記携帯装置は前記認証情報送出手段が送出した前記認証情報を表す振動パターンの振動を発生することを特徴とする電子機器。
【００９６】
（付記１０）  電子機器で実行される認証方法であって、
電話番号入力に基づき、電話発信をするステップと、
電話着信で携帯装置が発生する振動を受信するステップと、
振動受信部が受信した前記振動の振動パターンと、振動パターン登録手段に登録されている振動パターンとが一致するか否かを認証するステップと、
を含むことを特徴とする、電子機器の認証方法。
【００９７】
（付記１１）  付記１０の電子機器の認証方法において、
通信先を表す振動パターンを振動パターン登録手段に登録するステップと、
電話着信に応じて前記振動パターン登録手段にある振動パターンを読み出し、その振動パターンで振動を発生するステップと、
を含むことを特徴とする、電子機器の認証方法。
【００９８】
（付記１２）  付記１０の電子機器の認証方法において、
前記携帯装置が、前記電子機器から送出された認証情報を受け、該認証情報を表す振動パターンの振動を発生するステップを含むことを特徴とする、電子機器の認証方法。
【００９９】
（付記１３）  付記１０の電子機器の認証方法において、
電子機器が認証情報を送出するステップと、
前記認証情報を受け、前記携帯装置が、前記認証情報を表す振動パターンの振動を発生するステップと、
を含むことを特徴とする認証装置の認証方法。
【０１００】
（付記１４）  付記１０の電子機器の認証方法において、
前記電子機器が認証結果に応じて起動するステップとを含むことを特徴とする電子機器の認証方法。
【０１０１】
（付記１５）  コンピュータで実行される電子機器の認証プログラムであって、
電話番号入力に基づき、電話発信をするステップと、
電話着信で携帯装置が発生する振動を受信するステップと、
振動受信部が受信した前記振動の振動パターンと、振動パターン登録手段に登録されている振動パターンとが一致するか否かを認証するステップと、
を前記コンピュータに実行させるための電子機器の認証プログラム。
【０１０２】
（付記１６）  付記１５の電子機器の認証プログラムにおいて、
通信先を表す振動パターンを振動パターン登録手段に登録するステップと、
電話着信に応じて前記振動パターン登録手段にある振動パターンを読み出し、その振動パターンで振動を発生するステップと、
を前記コンピュータに実行させるための電子機器の認証プログラム。
【０１０３】
（付記１７）  付記１５の電子機器の認証プログラムにおいて、
前記携帯装置が、前記電子機器から送出された認証情報を受け、該認証情報を表す振動パターンの振動を発生するステップを前記コンピュータに実行させるための電子機器の認証プログラム。
【０１０４】
（付記１８）  付記１５の電子機器の認証プログラムにおいて、
電子機器が認証情報を送出するステップと、
前記認証情報を受け、前記携帯装置が、前記認証情報を表す振動パターンの振動を発生するステップと、
を前記コンピュータに実行させるための電子機器の認証プログラム。
【０１０５】
（付記１９）  付記１５の電子機器の認証プログラムにおいて、
前記電子機器が認証結果に応じて起動するステップを前記コンピュータに実行させるための電子機器の認証プログラム。
【０１０６】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１０７】
本発明は、機器の電話通信機能と携帯装置が電話着信により発生するバイブレーションパターンを用いて自動認証を行うことができ、パスワードやパスワード入力を必要とすることなく、携帯装置の電話発信のみで個人認証を行うことができ、認証の簡便化とともに、電子機器のセキュリティと利便性とを高めることができる等、有用である。
【図面の簡単な説明】
【０１０８】
【図１】第１の実施の形態に係る認証システムを示す図である。
【図２】認証システムによる認証動作を示す図である。
【図３】認証機能を示す図である。
【図４】第２の実施の形態に係るＰＣの構成を示す図である。
【図５】携帯装置の構成を示す図である。
【図６】携帯装置の初期設定の処理手順を示すフローチャートである。
【図７】ＰＣの初期設定の処理手順を示すフローチャートである。
【図８】認証データ登録画面を示す図である。
【図９】認証データ登録の処理手順を示すフローチャートである。
【図１０】バイブレーションパターンを示す図である。
【図１１】バイブレーションパターンの組合せを示す図である。
【図１２】認証処理の処理手順を示すフローチャートである。
【符号の説明】
【０１０９】
２  認証システム
４  ＰＣ
６  携帯装置
７  振動受信部
８  基地局
１０  ＷＷＡＮ機能部
１２  加速度センサ
１４  ＲＯＭ
１６  ＢＩＯＳ
２０  ＣＰＵ
２６  メモリ
２８  Ｉ／Ｏデバイス
３０  ＨＤＤ
４４  ＣＰＵ
５２  無線通信部
５４  記憶部
５８  バイブレータ
６４  プログラム記憶部
６６  データ記憶部
【図１】
2009245122.tif 000003
【図２】
2009245122.tif 000004
【図３】
2009245122.tif 000005
【図４】
2009245122.tif 000006
【図５】
2009245122.tif 000007
【図６】
2009245122.tif 000008
【図７】
2009245122.tif 000009
【図８】
2009245122.tif 000010
【図９】
2009245122.tif 000011
【図１０】
2009245122.tif 000012
【図１１】
2009245122.tif 000013
【図１２】
2009245122.tif 000014